(57)【要約】【課題】対象の水生生物に違和感を与えることが抑制され、疑似餌の流体力学的特性が大幅に変化してしまうことが抑制される疑似餌用のカバー１の提供。【解決手段】このカバー１は、軟質なポリマー組成物から形成されており、疑似餌（例えばエギ２）に対して着脱可能であり、エギ２に装着されたとき、エギ２のボディ３の表面を覆いうる形状を有しており、上記エギ２の一部を外部に露出させるための開口１６、１７、１８、１９を有しており、この開口１６、１７、１８、１９の周縁の肉厚が、他の部分の肉厚よりも大きくされている。【選択図】図１
2014100102.tif 000002
【特許請求の範囲】
【請求項１】
軟質なポリマー組成物から形成されており、
疑似餌に対して着脱可能であり、
上記疑似餌に装着されたとき、疑似餌のボディの表面を覆いうる形状を有しており、
上記疑似餌の一部を外部に露出させるための開口を有しており、
この開口の周縁の肉厚が、他の部分の肉厚よりも大きい、疑似餌用のカバー。
【請求項２】
軟質なポリマー組成物から形成されており、
重錘を有するエギに対して着脱可能であり、
上記エギに装着されたとき、エギのボディの表面を覆いうる形状を有しており、
上記重錘を外部に露出させるための開口を有している、疑似餌用のカバー。
【請求項３】
その内側の形状が、疑似餌のボディの外形と同一又はそれ以下の大きさにされている請求項１又は２に記載の疑似餌用のカバー。
【請求項４】
その肉厚が、疑似餌のボディの腹に対応する側から背に対応する側に向けて、漸増している請求項１から３のいずれかに記載の疑似餌用のカバー。
【請求項５】
その背側の肉厚が、疑似餌のボディの頭部に対応する側から尾部に対応する側に向けて、漸増している請求項１から４のいずれかに記載の疑似餌用のカバー。
【請求項６】
その後端部が、疑似餌のボディの尾部を露出させるための後端開口を有しており、この後端開口の近傍に、摘むための摘み片が突設されている請求項１から５のいずれかに記載の疑似餌用のカバー。
【請求項７】
上記摘み片が平板状を呈しており、この摘み片は、カバーが装着状態にあるとき、摘み片の面内に疑似餌のボディの前後方向軸及び上下方向軸が含まれる姿勢で突設されている請求項６に記載の疑似餌用のカバー。
【請求項８】
疑似餌のボディの背に対応する部位に、内部の空気を放出するための貫通孔が形成されている請求項１から７のいずれかに記載の疑似餌用のカバー。
【請求項９】
疑似餌のボディの左右の両側部それぞれに、凸部が突設されている請求項１から８のいずれかに記載の疑似餌用のカバー。
【請求項１０】
上記開口の周縁の肉厚が、他の部分の肉厚よりも大きい請求項２に記載の疑似餌用のカバー。
【請求項１１】
その後端部が、疑似餌のボディの尾部を露出させるための後端開口を有しており、この後端開口の周縁から、前方に延びる突条が形成されている請求項１から１０のいずれかに記載の疑似餌用のカバー。
【発明の詳細な説明】
【技術分野】
【０００１】
本発明は、釣りに用いられる疑似餌用のカバーに関する。詳細には、本発明は、疑似餌の外面を略覆うように装着されうるカバーに関する。
【背景技術】
【０００２】
「エギング」と称されるイカ釣りが、盛んに行われている。このイカ釣りには、疑似餌の一種であるエギが用いられる。図７に示されるように、エギ２は、ボディ３と、アイ４と、針部５と、重錘６と、羽根７とを備えている。ボディ３はエビに似た外形を有している。ボディ３は、一般的に木又は合成樹脂からなるため、硬質である。アイ４には、図示しないラインが結ばれる。エギ２は、キャストされた後、ラインの引き操作等によって様々な形態で泳動する。これらの動作により、イカはエギ２を餌と勘違いし、エギ２を触手で掴む。このとき、イカに針部５が引っかかり、イカが釣り上げられる。
【０００３】
前述のごとく、エギのボディ３は硬質である。エギ２は、キャストされたとき、ラインによってしゃくられたとき等において、岩等に衝突して損傷することがある。上記ボディ３は、エビ、小魚等のボディより硬い。イカは、このようなエギ２を触手で掴んだときに違和感を覚えるらしく、エギ２を放してしまうことがある。かかるイカの行動はフッキング率の低下を招く。ボディ３が軟質なポリマー組成物から形成されたエギに対しては、イカは違和感を覚えにくいと考えられる。しかし、このようなエギは損傷しやすい。このようなエギは耐久性に劣る。
【０００４】
上記と同様の問題を解決するために、特開２０００−２０１５７８号公報では、ルアー用の筒状のソフトカバーが提案されている。このカバーは、魚の好む香料エキスが添加された軟質体のラバーから構成されている。この軟質体ラバーは、発光体を内蔵した発光ルアーのボディに被せられる。軟質体ラバーの、後部は多数本のひれ状にされており、前端部にはアイ用の小さい貫通孔が形成されている。発光ルアーの後端部のフック（針部）は、軟質体ラバーの後端部から外方へ露出している。発光ルアーの前端部のアイは、上記アイ用貫通孔を通って外方へ露出している。発光ルアーを上記軟質体ラバーによって覆うことにより、発光アーが岩等に当たって損傷することを防止し、イカの積極的なルアー抱え込み行動を誘発することを狙っている。
【０００５】
しかしながら、前述のとおり、一般的なエギ２は、上記公報に開示された発光ルアーとは異なり、ボディ３から突出した重錘６を備えている。上記軟質体ラバーは、このエギ２に被せられると、重錘６をも覆ってしまう。軟質体ラバーが、ボディ３を重錘６とともに覆うと、エギ２本来の動作の原因である流体力学的特性が大幅に変化してしまう。このようなエギ２からは、イカにアピールしうる動作は得られにくい。
【先行技術文献】
【非特許文献】
【０００６】
【非特許文献１】特開２０００−２０１５７８号公報
【発明の概要】
【発明が解決しようとする課題】
【０００７】
本発明は、前述した現状に鑑みてなされたものであり、疑似餌に対して、その流体力学的特性を大幅に変化させることなく装着することができ、疑似餌の岩等への衝突による損傷を抑制することのできる、疑似餌用のカバーを提供することを目的としている。
【課題を解決するための手段】
【０００８】
本発明に係る疑似餌用のカバーは、
軟質なポリマー組成物から形成されており、
疑似餌に対して着脱可能であり、
上記疑似餌に装着されたとき、疑似餌のボディの表面を覆いうる形状を有しており、
上記疑似餌の一部を外部に露出させるための開口を有しており、
この開口の周縁の肉厚が、他の部分の肉厚よりも大きくされている。
【０００９】
本発明に係る他の疑似餌用のカバーは、
軟質なポリマー組成物から形成されており、
重錘を有するエギに対して着脱可能であり、
上記エギに装着されたとき、エギのボディの表面を覆いうる形状を有しており、
上記重錘を外部に露出させるための開口を有している。
【００１０】
上記いずれかの疑似餌用のカバーであって、その内側の形状が、疑似餌のボディの外形と同一又はそれ以下の大きさにされているのが好ましい。
【００１１】
上記いずれかの疑似餌用のカバーであって、その肉厚が、疑似餌のボディの腹に対応する側から背に対応する側に向けて、漸増しているのが好ましい。
【００１２】
上記いずれかの疑似餌用のカバーであって、その背側の肉厚が、疑似餌のボディの頭部に対応する側から尾部に対応する側に向けて、漸増しているのが好ましい。
【００１３】
上記いずれかの疑似餌用のカバーであって、その後端部が、疑似餌のボディの後端部を露出させるための後端開口を有しており、この後端開口の近傍に、摘むための摘み片が突設されているのが好ましい。また、上記摘み片が平板状を呈しており、この摘み片は、カバーが装着状態にあるとき、摘み片の面内に疑似餌のボディの前後方向軸及び上下方向軸が含まれる姿勢で突設されているのがさらに好ましい。
【００１４】
上記いずれかの疑似餌用のカバーであって、疑似餌のボディの背に対応する部位に、内部の空気を放出するための貫通孔が形成されているのが好ましい。
【００１５】
上記いずれかの疑似餌用のカバーであって、疑似餌のボディの左右の両側部それぞれに、凸部が突設されているのが好ましい。
【００１６】
上記エギに着脱しうる疑似餌用のカバーについても、開口の周縁の肉厚が、他の部分の肉厚よりも大きくされているのが好ましい。
【００１７】
上記いずれかの疑似餌用のカバーであって、その後端部が、疑似餌のボディの尾部を露出させるための後端開口を有しており、この後端開口の周縁から、前方に延びる突条が形成されているのが好ましい。
【発明の効果】
【００１８】
本発明に係る疑似餌用のカバーは、イカ等に違和感を与えることが抑制され、さらに、必要に応じて開口部から疑似餌の一部を外部へ露出させることができる。従って、疑似餌の流体力学的特性が大幅に変化してしまうことが抑制される。また、開口の周縁の肉厚が厚くされているカバーは、開口からの亀裂の発生を効果的に防止しうる。
【図面の簡単な説明】
【００１９】
【図１】図１（ａ）は、本発明の一実施形態に係るカバーが、疑似餌の一種であるエギに装着された状態を示す、正面から見た一部断面図であり、図１（ｂ）は、図１（ａ）のＩＢ−ＩＢ線に沿った断面図であり、図１（ｃ）は、図１（ａ）のＩＣ−ＩＣ線に沿った断面図である。
【図２】図２（ａ）は、図１のカバーを示す正面図であり、図２（ｂ）は、このカバーの平面図であり、図２（ｃ）は、このカバーの底面図である。
【図３】図３は、本発明の他の実施形態に係るカバーを示す正面図である。
【図４】図４は、エギに装着されたカバーが、エギから取り外されつつある状態を示す正面図である。
【図５】図５は、本発明の他の実施形態に係るカバーが、疑似餌の一種であるルアーに装着された状態を示す、正面から見た一部断面図である。
【図６】図６は、本発明のさらに他の実施形態に係るカバーが、疑似餌の一種であるルアーに装着された状態を示す、正面から見た一部断面図である。
【図７】図７は、本発明のカバーが装着されうる疑似餌の一種であるエギを示す正面図である。
【発明を実施するための形態】
【００２０】
以下、適宜図面が参照されつつ、好ましい実施形態に基づいて本発明が詳細に説明される。
【００２１】
図１及び図２には、本発明の一実施形態に係る疑似餌用のカバー（以下、単にカバーともいう）１が示されている。図１では、このカバー１は疑似餌の一種であるエギ２に装着されている。カバー１は、エギ２に限らず、種々の疑似餌に対して適用可能である。ここでは、エギ２用のカバー１が代表して説明される。図２では、疑似餌から取り外された状態のカバー１が単体で示されている。図１に示されたエギ２は、ボディ３、アイ４、針部５、重錘６及び羽根７を備えている。ボディ３の外面に設置される重錘６としては、平板状のものが一般的である。図１において、左側が、エギ２の前側であり、右側がエギ２の後側である。上側がエギ２の背部１０側であり、下側がエギ２の腹部１１側である。重錘６は、腹部１１における幅方向の中央部から、下方に向けて突出している。
【００２２】
ボディ３の形状は、エビに類似している。ボディ３は、頭部８、尾部９、背１０及び腹１１を有している。ボディ３は、木又は合成樹脂からなる。ボディ３の表面は、着色されてもよい。ボディ３の表面に、模様が画かれてもよい。着色や模様は、イカに対するアピールに寄与する。ボディ３にクロスが巻かれ、このクロスが着色されてもよい。このエギ２は、上記カバー１が装着されているため、岩等に衝突しても、その表面の着色、模様、クロス等は、損傷を受けにくい。カバー１は、後述のとおり、損傷した場合でも、容易に取り替えることができる。カバー１はエギ２より安価であるので、カバー１が装着されたエギ２は経済的である。
【００２３】
カバー１は、軟質なポリマー組成物から形成されている。この組成物の基材ポリマーの例としては、スチレンエラストマー等の軟質樹脂及びゴムが挙げられる。もちろん、カバー１の材質は、これらには限定されない。このカバー１は軟質である。このカバー１は伸縮性に富む。このカバー１が装着されたエギ２を、イカが触手で掴んだとき、このイカは違和感を覚えにくい。イカがエギ２をすぐに放してしまうことが防止されうる。カバー１の材質として、透明又は透明に近い基材ポリマーが選択されてもよい。エギ２のボディ３表面の着色、模様、クロス等が、イカにアピールしうるからである。
【００２４】
イカは、その触手の先端部によって味及び臭いを感じると言われている。そこで、上記ポリマー組成物に、味覚物質及び／又は嗅覚物質が混入されているのが好ましい。味覚物質とは、イカがその触手によって味を感じるであろう物質である。嗅覚物質とは、イカがその触手によって臭いを感じるであろう香料等の物質である。魚釣りに用いられるルアー等の疑似餌用のカバーであれば、魚類が好む物質である。一般的には、味及び臭いの両方を感じるであろう物が使用される。例えば、エギ２用のカバー１であれば、オキアミの粉末、魚粉、甲殻類の粉末等である。イカは、このようなカバー１が装着されたエギ２を触手で掴んだとき、上記にも増して違和感を覚えにくい。かかるカバー１が装着されることにより、エギ２のフック率が向上しうる。
【００２５】
カバー１は、エギ２に装着されたとき、ボディ３のボディ３の表面をほぼ覆いうる形状を有している。前述のとおり、カバー１は軟質で伸縮性に富んでいる。カバー１は、その内側の形状が、上記ボディ３の外形と同一又はそれ以下の大きさにされるのが好ましい。例えば、カバー１の内面形状は、特定の形状のエギ１にのみ装着する目的であれば、ボディ３の外形と概ね相似形にされてもよい。このカバー１の内面形状は、寸法比で言うと、ボディ３の外形の１／１以下にされるのが好ましい。換言すれば、ボディ３の長手方向（前後方向）における任意部位の横断面形状より、その横断面に対応するカバー１の位置における内面側の横断面形状の方が小さいのがより好ましい。種々の形状のエギに適用する目的があれば、カバー１の内面形状を、そのうちの小さい形状のエギの外形の寸法比１／１程度にしてもよい。このようなカバー１は、ボディ３にフィットする。カバー１の内面とボディ２の外面との間に隙間が生じにくい。ボディにくびれ部が形成された疑似餌に対しても、その形状的特徴を損なうことが抑制される。その結果、エギ２は、このカバー１が装着されても、その流体力学的特性が装着前に較べて大きく変化しにくい。
【００２６】
図１から図３において、カバー１の前端近傍が頭部１２であり、後端近傍が尾部１３であり、上側が背部１４であり、下側が腹部１５である。カバー１の頭部１２、尾部１３、背部１４及び腹部１５は、カバー１がエギ２に装着されたとき、エギ２の頭部８、尾部９、背部１０及び腹部１１に対応する。カバー１には、エギ２の一部を外部に露出させるための開口が形成されている。カバー１の後端部に、エギ２の後端部、すなわち針部５を露出させるための後端開口１６が形成されている。カバー１の腹部１５には、重錘６が外方へ突出するための、重錘用開口１７が形成されている。カバー１の頭部１２よりやや後方の両側面部には、羽根７が外方へ突出するための、羽根用開口１９が形成されている。これらの開口１６、１７、１９は、カバー１がエギ２に装着されていない状態（図２及び図３）のとき、閉じられた状態であってもよい。そして、カバー１がエギ２に装着されることによって伸ばされたとき、開口１６、１７、１９が開くように構成されてもよい。
【００２７】
図１には、カバー１の前端部に形成された、アイ４が外方へ突出するためのアイ用開口１８が示されている。しかし、図２及び図３に示されたカバー１には、アイ用開口１８が形成されていない。後述するように、このアイ用開口１８の形成方法は、他の開口１６、１７、１９の形成方法とは異なる。
【００２８】
アイ用開口１８を除く各開口１６、１７、１９の周縁の肉厚は、カバー１の他の部分の肉厚よりも大きくされている。すなわち、各開口１６、１７、１９の周縁には、厚肉部２０が形成されている。開口部は、一般的に、外力によって拡大されると、亀裂が生じる心配がある。特に、後端開口１６及び重錘用開口１７は、エギ２へのカバー１の着脱時に、大きく拡大される。しかし、このカバー１では、開口周縁の厚肉部２０により、後端開口１６及び重錘用開口１７からの亀裂の発生が抑制される。上記厚肉部２０を備えたカバー１の成形法は限定されないが、ディッピング成形法より、射出成形法によるのが好ましい。
【００２９】
ボディ３の表面におけるアイ４の設置位置は、疑似餌によって一定ではない。また、アイ用開口１８は、エギ２の使用時、カバー１の着脱時等に大きく開かれることはない。従って、アイ用開口１８はカバー１の製造段階から形成されているのではない（図２及び図３）。カバー１の使用時に、アイ４の位置に対応した部位を刃物等によって切り欠く方法を採用することができる。又は、カバー１をボディ３に装着するときに、カバー１の先端部を内側からアイ４によって突き破る方法を採用してもよい。これらの形成方法による場合、アイ用開口１８の周縁の肉厚は厚くされない。一方、これらの方法によれば、エギ２に装着されたカバー１の位置ずれが抑制される。しかし、カバー１の製造段階からアイ用開口１８を形成しておくなら、開口の周縁の肉厚を厚くしておくのがよい。
【００３０】
図２（ｃ）に示されるように、重錘用開口１７は、重錘６の断面形状に対応させて、幅が狭く前後に長い形状にされている。重錘６は、図１に示されるごとく、重錘用開口１７から外方へ突出し、カバー１に覆われていない。エギ１の動作時において、重錘６による水を切り裂く効果は低下しない。このことは、エギ２の流体力学的特性の変化を抑制する効果を向上せしめる。エギ５１特有の、イカにアピールしうる動作は、カバー１の装着によっても大きく変化しない。エギによって、重錘６の設置位置が前後にわずかに異なる場合がある。このため、重錘用開口１７は、重錘６の前後方向長さよりわずかに長く形成されてもよい。
【００３１】
上記後端開口１６の存在により、カバー１がエギ２に対して着脱可能となる。エギ２へのカバー１の装着時、手指によって拡大された後端開口１６から、エギ２がその頭部８から挿入される。エギ２からのカバー１の取り外し時、手指によって後端開口１６が拡大されることにより、重錘６を避けてボディ３がカバー１から抜き取られる。カバー１が損傷して、使用し得ない状態になったときでも、容易に取り替えることができる。また、カバー１の経年変化により、前述した味覚物質及び／又は嗅覚物質から放散される成分が減少し、イカに対するアピール性が低下する場合がある。この場合でも、容易に新しいカバー１に取り替えることができる。
【００３２】
上記後端開口１６の近傍には、カバー１の装着、取り外し等の作業時に、手指で摘むための第一摘み片２１が突設されている。図４に示されるように、使用者は、この第一摘み片２１を摘んで引っ張ることにより、容易に後端開口１６を拡大することができる。この第一摘み片２１が形成されていない場合、使用者は、後端開口１６を拡大するために、後端開口１６の周縁を摘んで引っ張る必要がある。カバー１はその後端部も含めてエギ２のボディ３に密着しているので、上記作業は厄介である。また、後端開口１６の周縁を損傷するおそれもある。第一摘み片２１を形成することにより、かかる問題は解消される。
【００３３】
この第一摘み片２１は平板状を呈している。この第一摘み片２１は舌片とも呼ばれうる。第一摘み片２１は、平板状でなくてもよいが、平板状であるのが摘みやすい。平板状の第一摘み片２１は、カバー１の本体への固着部（連続部）の断面積が大きく、固着強度（耐分断強度）が大きいので好ましい。この第一摘み片２１は、後端開口１６のわずかに前側の腹部１５に、下方に向けて突設されている。
【００３４】
この第一摘み片２１の形成姿勢は限定されない。第一摘み片２１の面の向きが横方向（幅方向）等であってもよい。しかし、カバー１がエギ２に装着された状態にあるとき、第一摘み片２１の面内にエギ１のボディ６の前後方向軸及び上下方向軸がともにほぼ含まれる姿勢で突設されているのが好ましい。エギ２の動作時の水の抵抗が小さくなるからである。第一摘み片２１は、後端開口１６の近傍であれば、上記とは異なる位置でもよい。しかし、重錘６と同様に、上記のように腹部１５から下方に突設されるのが、エギ２の流体力学的特性の変化を抑制する上で好ましい。また、カバー１の着脱時のために、後端開口１６を拡大させるとき、後端開口１６の周縁が重錘６を容易に避けうるためには、上記のように腹部１５から下方に突設されるのが好ましい。
【００３５】
上記第一摘み片２１は、使用者によって摘まれること以外に、カバー１の後端開口１６からの捲れ上がり防止という作用をも奏しうる。カバー１が装着されたエギ２、ルアー等の疑似餌が、キャストされてテール部（後端）から着水するとき、カバー１は、水の作用によってその後端開口１６から捲れ上がることが考えられる。しかし、上記第一摘み片２１が形成されている部分の曲げ剛性は大きいので、カバー１の後端は捲れにくくなる。第一摘み片２１は、後端開口１６近傍の周縁上の対向する（略１８０°離間した）二箇所、又は、等間隔を置いて三箇所以上に形成されるのが、捲れ防止効果が一層向上するので好ましい。
【００３６】
このカバー１には、上記第一摘み片２１とは別に、後端開口１６の近傍の背部１４側の表面に、捲れ防止を目的とした突条２６が形成されている。突条２６は、カバー１の前後方向に延在している。突条２６の長さは限定されないが、５ｍｍ以上であるのが好ましい。突条２６は、上記厚肉部２０に連続して形成されなくても、厚肉部２０に近接して形成されておればよい。捲れ上がり防止を目的とした部分としては、図１、図２等に示されるような形状の突条２６には限定されない。例えば、この部分は、半球状の凸部、直方体状の凸部、円柱状の凸部、これらに類似した形状の凸部等であってもよい。突条２６は、後端開口１６近傍の周縁上に、等間隔を置いて複数箇所に形成されてもよい。上記第一摘み片２１が形成されていないカバーに対しても、上記突条２６は、後端開口１６近傍の周縁上に、等間隔を置いて複数箇所に形成されるのが好ましい。
【００３７】
カバー１の背部１４には、カバー１の内外を連通する貫通孔２４が形成されている。この貫通孔２４は、カバー１内の空気を外部へ放出するための空気抜き用の孔である。この貫通孔２４は、背部１４の前後方向に間隔を置いて２個形成されている。貫通孔２４の個数は、２個には限定されず、１個でもよく、３個以上であってもよい。貫通孔２４は、効果的に空気抜きがなされるためには、複数個形成されるのが好ましい。カバー１の内部に残留している空気は、水中では、水圧により、上記貫通孔２４を通って放出されうる。
【００３８】
カバー１の背部１４と腹部１５との中間部、すなわち左右の両側部には、凸部２５が突設されている。本実施形態では、上記凸部は足状体２５として形成されている。足状体２５は、カバー１の本体と同一の材料から一体に形成されている。足状体２５は軟質である。足状体２５は、カバー１の本体とは異なる材料から形成されてもよい。足状体２５は、可撓性を有し、揺動可能である。足状体２５は、左右の各側部それぞれに、前後方向に沿って４本ずつ突設されている。足状体２５の本数は、各側部において４本には限定されない。左右の各側部において、足状体２５は一列に整列されている。各足状体２５は、側部から、側部に略垂直な方向に突出し、後方に向けて湾曲し、さらに、カバーの外表面に向けて湾曲している。この足状体２５は、平面視でＪ字状を呈している。足状体２５は板状を呈している。
【００３９】
足状体２５は、後方に向けて湾曲する形状には限定されない。足状体２５は、側部に略垂直な方向に突出し、前方に向けて湾曲し、さらに、カバーの外表面に向けて湾曲してもよい。また、足状体の先端部は、円錐状、半球状等に拡がるカップ形状を呈していてもよい。カバーの外表面に向けて湾曲した先端部が、カバーの外表面に一体的に接合されることにより、足状体２５の全体の形状がＵ字状、半円状等のループ状にされてもよい。足状体２５の、カバー１側部からの突出方向は、略垂直な方向には限定されず、前方に傾斜してもよく、後方に傾斜してもよい。また、若干上方又は下方に傾斜してもよい。足状体２５の形状は、Ｊ字状には限定されず、Ｌ字状、Ｔ字状等であってもよい。この凸部は、上記したような足状体としての形状には限定されない。凸部は、例えば、棒状、球状等であってもよい。また、以上のようなカバー１側部から突出する凸部に代えて、カバー１の胴部分を、背部１４から腹部１５を経て背部１４に戻るように一周するループ状の突条が形成されてもよい。このループ状の突条が、カバー１の前後方向に間隔を置いて複数本形成されるのが好ましい。この突条も、ここでいう凸部２５の一種である。
【００４０】
カバー１が装着されたエギ２は、水中で上記足状体２５が動くことにより、実物の餌の挙動に類似する。このカバー１が装着されたエギ２を、イカが触手で掴んだとき、このイカは違和感を覚えにくい。イカがエギ２をすぐに放してしまうことが防止されうる。さらに、この足状体２５は水の抵抗を受けるため、キャストされたエギ２の水中での沈下速度、ボディ３の傾斜角度を調整する機能を発揮しうる。足状体２５に対する水の抵抗は、エギ２の動きを緩慢にする。このようなエギ２は、例えば、動きが鈍くなった低水温期のイカにとっても捕らえやすい対象となる。以上のとおり、凸部２５を備えたエギ２は、エギ本来の動きに加えて、凸部２５による特有のアクションが加わることにより、イカに対してより効果的な疑似餌たり得る。
【００４１】
図３には、他のカバー２２が示されている。このカバー２２の基本的な構成は、図１及び図２に示されたカバー１と同じである。このカバー２２が上記カバー１と異なる点は、重錘用開口１７のわずか後方に第二摘み片２３が突設されていることである。すなわち、このカバー２２には、重錘用開口１７と後端開口１６との間の腹部１５に、二つの摘み片２１、２３が直列に突設されている。この前方の第二摘み片２３の突設姿勢は、前述の第一摘み片２１の姿勢と同じである。このカバー２２のその他の構成は、前述のカバー１の構成と同じであるため、図１及び図２におけると同一の部材には同一の符号を付し、その説明は省略する。このカバー１によれば、エギ２への着脱時に、この第二摘み片２３を摘んで引っ張ることにより、重錘用開口１７の周縁が、容易に重錘６への引っ掛かりを回避することができる。
【００４２】
図１（ａ）に示されるように、カバー１の背側の肉厚は、頭部１２から尾部１３に向けて漸増している。しかし、カバー１の後端部の肉厚を最大厚さとする必要はない。図１（ｂ）に示されるように、カバー１の肉厚は、腹部１５から背部１４に向けて漸増している。この腹部１５から背部１４への肉厚の変化は、カバー１の後方になるほど顕著である。これらの肉厚変化は、イカが主にエギ２の尾部１３側、及び、背部４側を好んで噛む傾向にある事実に対応したものである。イカが好んで噛みつく部位が厚くされることにより、カバー１の耐久性が向上する。イカが好んで噛みつく軟質部分の肉厚が厚いと、イカに違和感を与えにくい。また、カバー１を構成するエラストマー等の比重は、水の比重より小さい。従ってカバー１は水に浮く。このカバー１の背部１４側の肉厚が厚いことにより、このカバー１が装着されたエギ２の浮力が増え、浮力の中心が背部１４側に移動する。これにより、エギ２の水中での姿勢が安定する。
【００４３】
以上に説明された実施形態では、カバー１、２２の装着対象としてエギ２のみが例示されている。しかし、本発明のカバーの適用対象は、エギには限定されず、あらゆる疑似餌がその範囲となる。本発明のカバーは、例えば、スッテ、ミノー、ジグ等の各種のルアーにも適用可能である。カバーは、装着対象のボディの形状に適合した形状とされるのが好ましい。カバーには、装着対象のボディから突出する部分（重錘、アイ等）の位置に応じて開口の位置が決定されるのが好ましい。カバーには、適用対象である水生生物に応じた味覚物質及び／又は嗅覚物質が混入されるのが好ましい。
【００４４】
図５には、カバー３１が装着されたルアー３２が示されている。このカバー３１の材質、形状、構造等の基本的な構成は、前述したカバー１、２２の構成と同じである。このカバー３１は、ルアー３２の形状及び構造に対応した形状及び構造を有している。ルアー３２は、ボディ３３、リップ部３４、ラインアイ３５、２個のフックアイ３６、３７を備えている。各フックアイ３６、３７にはフック３８が取り付けられている。ラインアイ３５には図示しないラインが接続される。
【００４５】
ボディ３３は、ベイトである小魚に類似した外形を有する。ボディ３３は、前部の頭部３９及び後部の尾部４０を備えている。図中の左側が頭部３９側（前方）であり、右側が尾部４０側（後方）であり、上側が背部４１側であり、下側が腹部４２側である。ボディ３３は、木又は合成樹脂からなる。ボディ３３の表面は、着色されてもよい。ボディ３３の表面に、模様が画かれてもよい。着色や模様は、フィッシュイーターに対するアピールに寄与する。ボディ３３にクロスが巻かれ、このクロスが着色されてもよい。
【００４６】
カバー３１の頭部４３、尾部４４、背部４５及び腹部４６は、カバー３１がルアー３２に装着されたとき、ルアー３２の頭部３９、尾部４０、背部４１及び腹部４２に対応する。カバー３１には、ルアー３２の一部を外部に露出させるための開口が形成されている。カバー３１の腹部４２に、フックアイ３６を露出させるための腹部開口４７が形成されている。カバー３１の後端部にも、フックアイ３７を露出させるための後端開口４８が形成されている。カバー３１の前端部よりやや後方下部には、リップ部３４が外方へ突出するための、リップ用開口４９が形成されている。これらの開口４７、４８、４９は、カバー３１がルアー３２に装着されていない状態のときには、閉じられた状態であってもよい。そして、カバー３１がルアー３２に装着されることによって伸ばされたとき、開口４７、４８、４９が開くように構成されてもよい。
【００４７】
図５には、カバー３１の前端部に形成された、ラインアイ３５が外方へ突出するためのラインアイ用開口５０が示されている。このラインアイ用開口５０の形成方法は、前述したエギ１用カバー２のアイ用開口１８の形成方法と同じであるため、ここではその説明が省略される。
【００４８】
ラインアイ用開口５０を除く各開口４７、４８、４９の周縁の肉厚は、前述のカバー１と同様に、カバー３１の他の部分の肉厚よりも大きくされている。すなわち、各開口４７、４８、４９の周縁には、厚肉部５１が形成されている。この厚肉部５１の形成方法は、前述のカバー１におけると同じく、射出成形法によるのが好ましい。厚肉部５１の形成目的は、前述のカバー１におけると同じく、開口部が外力によって拡大されたときの亀裂の防止である。
【００４９】
このカバー３１の後端開口４８の近傍の表面には、後端開口４８からのカバー３１の捲れ上がり防止を目的とした二本の突条５２が形成されている。突条５２は、ボディ３３の前後方向に延在している。突条５２は、背部４５及び腹部４６に形成されている。突条５２は、後端開口４８周縁の厚肉部５１に連続して形成されている。突条５２は、カバー３１の尾部４４の周囲に、互いにほぼ１８０°離れて形成されている。突条５２の本数は、二本には限定されないが、尾部４４の周方向に等間隔を置いて複数本形成されるのが好ましい。突条５２の長さは限定されないが、５ｍｍ以上であるのが好ましい。この突条５２は、前述した摘み片２１、２３とともに形成されてもよい。摘み片２１、２３を複数個設けることにより、この突条５２に代えてもよい。突条５２は、上記厚肉部５１に連続して形成されなくても、厚肉部５１に近接して形成されておればよい。捲れ上がり防止を目的とした部位としては、図５に示されるような形状の突条５２には限定されない。例えば、この部位は、半球状の凸部、直方体状の凸部、円柱状の凸部、これらに類似した形状の凸部等であってもよい。
【００５０】
図５に示されるカバー３１の背部４５には、前述のカバー１と同様に、カバー３１の内外を連通する空気抜き用の貫通孔５３が形成されている。このカバー３１には、図示されていないが、前述のカバー１と同様に、その左右の両側部に、足状体等の凸部２５が突設されている。この凸部２５の形状はひれ状であってもよい。凸部２５の他にとりうる形状は、前述したとおりであるため、その説明は省略される。
【００５１】
図６には、他のカバー６１が装着されたルアー６２が示されている。このカバー６１は、その頭部６３の形状に特徴を有する。このカバー６１のその他の部分の形状、材質、構造等の基本的な構成は、前述した図５のカバー３１の構成と同じである。従って、このカバー６１の頭部６３以外の部位には、図５のカバー３１におけると同一の符号を付すことにより、その説明を省略する。
【００５２】
このカバー６１の頭部６３は、前方に開いたカップ状を呈している。換言すれば、頭部６３の前端には、その内面形状が円錐状、半球状等、前方に向けて拡大したカップ部６４が形成されている。このカップ部６４により、頭部６３の前端に、前方に向けて拡大し、開口した円錐状、半球状等の空間が形成されている。このカップ部６４の底部に、ライアンアイ３５用の開口５０が形成されている。図６に示されたルアー６２には、図５に示されるようなリップ部３４は形成されていない。しかし、このルアー６２にリップ部３４は形成されてもよい。この場合、カバー６１には、カップ部６４に加えて、図５に示されるようなリップ用開口４９及び厚肉部５１が形成される。
【００５３】
このカバー６１が装着されたルアー６２は、ポッパーと呼ばれるルアーの機能が期待できる。ポッパーの前端部には、図６に示されたカップ部６４に類似した形状のカップ部が形成されている。上記カバー６１が装着されたルアー６２が、キャスト後のラインの引き操作により、カップ部６４に水が取り込まれて音、水しぶき、泡等が発生する。これが、フィッシュイーターにアピールしうる。
【００５４】
以上に説明された実施形態では、カバー１、２２、６１は無地であるが、これには限定されない。カバーに着色や模様が施されてもよい。カバーに魚の眼、鱗、エビの殻等に似せた模様が施されてもよい。また、エギ２やルアー３２、６２の眼を露出するための開口が設けられてもよい。
【産業上の利用可能性】
【００５５】
本発明に係る疑似餌用のカバーは、釣り用の種々の疑似餌に用いられうる。このカバーは、魚の他、イカの釣りにも用いられうる。
【符号の説明】
【００５６】
１、２２、３１、６１・・・カバー
２・・・エギ
３、３３・・・ボディ
４・・・アイ
５・・・針部
６・・・重錘
７・・・羽根
８・・・（エギの）頭部
９・・・（エギの）尾部
１０・・・（エギの）背部
１１・・・（エギの）腹部
１２・・・（エギ用カバーの）頭部
１３・・・（エギ用カバーの）尾部
１４・・・（エギ用カバーの）背部
１５・・・（エギ用カバーの）腹部
１６・・・後端開口
１７・・・重錘用開口
１８・・・アイ用開口
１９・・・羽根用開口
２０・・・厚肉部
２１・・・第一摘み片
２３・・・第二摘み片
２４、５３・・・貫通孔
２５・・・足状体
２６、５２・・・突条
３２、６２・・・ルアー
３４・・・リップ部
３５・・・ラインアイ
３６、３７・・・フックアイ
３８・・・フック
３９・・・（ルアーの）頭部
４０・・・（ルアーの）尾部
４１・・・（ルアーの）背部
４２・・・（ルアーの）腹部
４３、６３・・・（ルアー用カバーの）頭部
４４・・・（ルアー用カバーの）尾部
４５・・・（ルアー用カバーの）背部
４６・・・（ルアー用カバーの）腹部
４７・・・腹部開口
４８・・・後端開口
４９・・・リップ用開口
５０・・・ラインアイ用開口
５１・・・厚肉部
６４・・・カップ部
【図１】
2014100102.tif 000003
【図２】
2014100102.tif 000004
【図３】
2014100102.tif 000005
【図４】
2014100102.tif 000006
【図５】
2014100102.tif 000007
【図６】
2014100102.tif 000008
【図７】
2014100102.tif 000009